Podtech/llm-jp-corpus-v4-ja_patent huggingface dataset:
(57)【要約】      （修正有）【課題】複雑で高価な装置や特別な設置場所を必要とせず、簡易に取り付ける事ができ、なおかつ電気的信号を利用しないため防爆構造を必要とせず、離れた位置から確実にモーター冷却用ファン動作状態を確認することができる、モーター冷却用ファンの動作確認装置を提供する。【解決手段】モーター４の冷却用ファン３の冷却用排気孔２付近に風車６を取り付ける。【選択図】図１
0003163275.tif 000002
【実用新案登録請求の範囲】
【請求項１】
モーター冷却用ファンの冷却用空気の吸気孔付近および／または排気孔付近で、かつ冷却用ファンにより発生する風により回転する位置に風車を取付けることを特徴とするモーター冷却用ファンの動作確認装置。
【考案の詳細な説明】
【技術分野】
【０００１】
本考案は、高価で複雑な装置を用いず、モーター外側に簡単に取り付けることができ、離れた位置から確実に動作状態を確認できるモーター冷却用ファンの動作確認装置に関するものである。
【背景技術】
【０００２】
従来、ファン類の動作確認装置としては、回転駆動状態を検出する検出手段をファン駆動源に取り付け、この検出手段から電気的信号を取り出すことにより動作確認を行う装置（特許文献1）等が知られている。
【０００３】
【特許文献１】実開平５−５９１７４公報
【考案の開示】
【考案が解決しようとする課題】
【０００４】
しかしながら、上述の方法によると検出器、信号処理機、表示器及びそれに伴う配線等の複雑で高価な装置が多数必要でそれを設置する場所や取付け方法も考えなければならなかった。それに加えて電気的信号を利用することから、化学工場等引火性ガスを取扱う場所ではこれらの装置に対しては本質安全防爆構造が必要となり、装置及び装置取り付けのコストが更に高くなるため、電気的信号を利用することなく、より簡便でかつ安価な装置の開発が望まれていた。
【課題を解決するための手段】
【０００５】
本考案は、上記課題を解決するものであって、モーター冷却用ファンの冷却用空気の吸気孔付近および／または排気孔付近で、かつ冷却用ファンにより発生する風により回転する位置に風車を取付けること特徴とするモーター冷却用ファンの動作確認装置である。
【考案の効果】
【０００６】
本考案のモーター冷却用ファンの動作確認装置によると、複雑で高価な装置や特別な設置場所を必要とせず、簡易に取り付ける事ができ、なおかつ電気的信号を利用しないため防爆構造を必要とせず、離れた位置から確実にモーター冷却用ファンの動作状態を確認することができる。
【考案を実施するための最良の形態】
【０００７】
通常、モーター４は冷却用ファン３を有し、モーター４にはモーターを冷却する為の空気が流れることを可能とするため冷却用空気の吸気孔１、排気孔２を有している。
【０００８】
吸気孔１、排気孔２についてはモーター４内部に空気の流れを提供するものであればどのような形状、大きさのものでも良い。
【０００９】
吸気孔１に取り付けられる風車５は、吸気孔１から発生する風により回転するものであればどのような形態のどのような材質のものでも良い。紙やプラスチックを加工したようなものが安価でかつ容易に取り付け可能でありより好ましい。また、その取り付け位置は吸気孔１近傍で、吸気孔１から発生する風を受ける位置であればどのような場所でもよい。
【００１０】
排気孔２に取り付けられる風車６は、排気孔２から発生する風により回転するものであればどのような形態のどのような材質のものでも良い。紙やプラスチックを加工したようなものが安価でかつ容易に取り付け可能でありより好ましい。また、その取り付け位置は排気孔２近傍で、排気孔２から発生する風を受ける位置であればどのような場所でもよい。
【００１１】
以上詳述したように本考案のモーター冷却用ファンの動作確認装置を用いる事によって、複雑で高価な装置や特別な設置場所を必要とせず、モーター外側に簡単に取り付けることができ、離れた位置から確実にモーター冷却用ファン動作状態を確認できる。
【図面の簡単な説明】
【００１２】
【図１】本考案のモーター冷却用ファンの動作確認装置の内、冷却用空気の排気孔側に風車をつけたものの具体的一実施例の正面図である。
【図２】本考案のモーター冷却用ファンの動作確認装置の内、冷却用空気の排気孔側に風車をつけたものの具体的一実施例の側面図である。
【図３】本考案のモーター冷却用ファンの動作確認装置の内、モーター部の俯瞰図である。
【図４】本考案のモーター冷却用ファンの動作確認装置の内、冷却用空気の吸引孔側に風車をつけたものの具体的一実施例の正面図である。
【実施例】
【００１３】
以下添付図に従って、一実施例を説明する。本考案に係るモーター冷却用ファンの動作確認装置は、例えば、図１に示すとおり、モーター４の冷却用ファン３の冷却用排気孔２付近に風車６を取り付けることにより、モーター４冷却用ファン３が稼動すると風車６が回転することによりモーター冷却用ファン３の動作状況を確認することができる。
また、図４に示すとおり、モーター４の冷却用ファン３の吸気孔１付近に風車５を取り付けることにより、モーター４冷却用ファン３が稼動すると風車５が回転することによりモーター冷却用ファン３の動作状況を確認することができる。
【符号の説明】
【００１４】
１                    ：吸気孔
２                    ：排気孔
３                    ：冷却用ファン
４                    ：モーター
５、６                           ：風車
【図１】
0003163275.tif 000003
【図２】
0003163275.tif 000004
【図３】
0003163275.tif 000005
【図４】
0003163275.tif 000006
(57)【要約】      （修正有）【課題】シートを所望の長さにカットすることが可能なシート切断機を提供する。【解決手段】シート切断機は、筒状のシート１にはめ込まれる筒状回転具２と、回転具２を回転可能に保持する保持具３ａ及び３ｂ、保持具の支柱６ａと支柱６ｂの間をシート１の短辺と平行に結ぶカッターガイド５からなる。このシート切断機支柱６ｂにシートを引き出す方向に沿って前記カッターガイドの位置を原点に目盛りが付されている目盛り表記４を備える。カッターガイド５に沿ってカッターナイフ等でシートを切断することで所望の長さにシートを切断することが可能となる。【選択図】図２
0003163274.tif 000002
【実用新案登録請求の範囲】
【請求項１】
ロール状に巻かれたシートを保持しつつ回転可能にする円柱状の回転具と、両方の支柱に設けられ、前記回転具を回転可能に保持する保持具、支柱と支柱の間をシートの短辺と平行に設けられたカッターガイド、シートを引き出す方向に沿ってカッターガイドの位置を原点に支柱上に付された目盛り表記とからなるシート切断機。
【考案の詳細な説明】
【技術分野】
【０００１】
本考案は、特別な装置や広い設置場所を必要とせず、シートを所望の長さに正確に容易に切断できるシート切断機である。
【背景技術】
【０００２】
従来、シート状のものの裁断機としては、例えばロール状のフィルムを引き出し、引き出した場所で切断が可能なフィルム裁断機(特許文献１)等が知られている。
【０００３】
【特許文献１】実開平３−８７５９４号公報
【考案の開示】
【考案が解決しようとする課題】
【０００４】
しかしながら、上述の方法によるとシート（フィルム）を切断する際の長さの決定を目測で行っていたため、誤って長く、あるいは短く切断してしまう等の不都合を生じることが多々あった。又、装置自体も複雑で広い設置場所を必要とする為に簡易に設置する事は困難であった。
【課題を解決するための手段】
【０００５】
本考案は上記事情を鑑みてなされたものであり、２本のシート切断機支柱の上部にシートを固定し、シートを引き出す方向に沿って前記カッターガイドの位置を原点に支柱に目盛りを設けることにより、ロール状に巻かれたシートを正確に容易に所望の長さに切断することが可能なシート切断機である。
【考案の効果】
【０００６】
上記の手段を用いることにより、低費用で特別な装置や広い設置場所を必要とせずにロール状に巻かれたシートを正確に容易に所望の長さに切断することが可能なシート切断機を提供する。
【考案を実施するための最良の形態】
【０００７】
ロール状に巻かれたシート１を保持しつつ回転可能にする円柱回転具２と、支柱６ａと支柱６ｂに設けられ、前記円柱回転具２を回転可能に保持する保持具３ａ及び３ｂ、支柱６ａと支柱６ｂの間をシート１の短辺と平行に設けられたカッターガイド５、シートを引き出す方向に沿ってカッターガイド５の位置を原点に支柱上に付された目盛り表記４とからなるシート切断機である。
【０００８】
通常、シート１はボール紙等で作られた筒状のロール芯に巻かれており、円柱回転具２は通常、前記ロール芯に差し込まれる円柱形であり、その外径は前記ロール芯の内径に適合可能なものとし、長さはシート１より長く、保持具３ａ及び３ｂの両側に取り付け可能なものである。
【０００９】
保持具３ａ及び３ｂは円柱回転具２の大きさに合わせ、支柱６ａ及び支柱６ｂにＬ字形に加工したものを取付け、さらにシート１を引き出した際に円柱回転具２及びシート１が落下しないよう、上向きに突起を設けている。
【００１０】
カッターガイド５は、支柱６ａと支柱６ｂを結び、シート１の下側にシート１の短辺と平行に設けられた２本の棒からなる。この棒は鋼製であることが好ましい。この２本の棒の間の間隔はカッターナイフ等の刃物の刃先が通る程度であり、このカッターガイド５に沿ってカッターナイフ等刃物を左右に移動させることでシート１を切断する。
【００１１】
目盛り表記４は支柱６ａまたは/および支柱６ｂに沿って設けられたものであり、カッターガイド５を原点として支柱に沿って下方向きに長さを表示したものである。
【００１２】
以上詳述したように本考案のシート切断機によれば、低費用で特別な装置や広い設置場所を必要とせず、ロール状に巻かれたシートを正確に容易に所望の長さに切断することができる。
【図面の簡単な説明】
【００１３】
【図１】本考案のシート切断機のシート部と円柱回転具部の拡大図である。
【図２】本考案のシート切断機の具体的一実施例の正面図である。
【図３】本考案のシート切断機の具体的一実施例の左側面図である。
【実施例】
【００１４】
以下添付図に従って、一実施例を説明する。本考案に係るシート切断機は、図１に示すとおり、ロール状に巻かれたシート１の芯に円柱状回転具２を挿入する。これを図２に示すような円柱状回転具２を回転可能に保持する支柱６ａと支柱６ｂに設けられた保持具３ａ及び３ｂに嵌め込む。そして、支柱６ａと支柱６ｂの間をシート１の短辺と平行に設けられたカッターガイド５があり、この支柱６ａにシートを引き出す方向に沿って前記カッターガイドの位置を原点に目盛り表記４を備える。シート１を支柱６ａの目盛表記４に沿って所望の長さまで下方へ引き出し、所望の長さに達した時点でカッターガイド５に沿ってカッターナイフでシートを切断することで所望の長さにシートを切断することが可能となる。
【符号の説明】
【００１５】
１                    ：シート
２                    ：円柱回転具
３ａ、３ｂ            ：保持具
４                    ：目盛り表記
５                    ：カッターガイド
６ａ、６ｂ                       ：支柱
【図１】
0003163274.tif 000003
【図２】
0003163274.tif 000004
【図３】
0003163274.tif 000005
(57)【要約】      （修正有）【課題】構造が簡単で、インストールとメンテナンスが便利で、製作のコストが低くて、使用寿命が長いハイ・パワーＬＥＤ街灯を提供する。【解決手段】ハイパワーＬＥＤ街灯は、ランプ・キャップ１を含み、該ランプ・キャップ１はコネクティングピース２を通して大きい座台３に接続し、大きい座台３はラジエーチング・リング４を通じて六面ＬＥＤランプ・ソケットに接続し、該大きい座台３内に電気回路基板５を設置する。さらに、電気回路基板５は該六面ＬＥＤランプ・ソケットの上のＬＥＤ電球６に接続する。六面ＬＥＤランプ・ソケットは六面体７を含んで、六面体７の一面ごとの上にアルミニウムの基板８を設置し、アルミニウムの基板８の上にＬＥＤ電球６が設置し、アルミニウムの基板８とＬＥＤ電球６の外側にレンズ９を設置する。さらに、六面体７とアルミニウムの基板８の間に防水のガスケット１０を設置してなる。【選択図】図３
0003163243.tif 000002
【実用新案登録請求の範囲】
【請求項１】
１種のハイ・パワーのＬＥＤ街灯はランプ・キャップを含んで、述べているランプ・キャップはコネクティングピースを通して大きい座台につながって、その特徴は述べている大きい台座がラジエーチング・リングを通じて六面ＬＥＤランプ・ソケットに接続して、述べている大きい座台内に電気回路基板が設置してあって、述べている電気回路基板が述べている六面ＬＥＤランプ・ソケットの上のＬＥＤ電球に接続する１種のハイ・パワーのＬＥＤ街灯。
【請求項２】
請求項１によって述べている１種のハイ・パワーＬＥＤ街灯について、その特徴は、述べている６面ＬＥＤランプ・ソケットが六面体を含んで、述べている六面体の一面ごとの上にアルミニウムの基板が設置してあって、述べているアルミニウムの基板の上に述べているＬＥＤ電球が設置してあって、述べているアルミニウムの基板及びＬＥＤ電球の外側にレンズが設置してあるというのである１種のハイ・パワーのＬＥＤ街灯。
【請求項３】
請求項２によって述べている１種のハイ・パワーＬＥＤ街灯について、その特徴は、述べている六面体と述べているアルミニウムの基板の間に防水のガスケットが設置してあるというのである１種のハイ・パワーのＬＥＤ街灯。
【考案の詳細な説明】
【技術分野】
【０００１】
当実用的な新型は１種の街灯に関連して、具体的に１種のハイ・パワーＬＥＤ街灯を提供する。
【背景技術】
【０００２】
既存技術の下の街灯は、それが大体普通の白熱電球あるいはパイプ・ペンダント・ランプを採用して、それは照明の効果が悪いだけではなくて、その上使用寿命も短くて、損傷し易い。
【考案の概要】
【課題を解決するための手段】
【０００３】
この実用的な新型は以上の不足点に対して、１種の設計が合理的で、構造が簡単で、インストールとメンテナンスが便利で、製作のコストが低くて、使用寿命が長いハイ・パワーＬＥＤ街灯を提供している。
当実用的な新型がその技術問題を解決するために採用する技術方案は：
１種のハイ・パワーＬＥＤ街灯はランプ・キャップを含んで、述べているランプ・キャップがコネクティングピースを通して大きい座台に接続して、述べている大きい座台がラジエーチング・リングを通じて六面ＬＥＤランプ・ソケットに接続して、述べている大きい座台内に電気回路基板が設置してあって、述べている電気回路基板が述べている六面ＬＥＤランプ・ソケットの上のＬＥＤ電球に接続するというのである。
六面ＬＥＤランプ・ソケットは六面体を含んで、述べている六面体の一面ごとの上にアルミニウムの基板が設置してあって、述べているアルミニウムの基板の上に述べているＬＥＤ電球が設置してあって、述べているアルミニウムの基板とＬＥＤ電球の外側にレンズが設置してあるというのである。
六面体と述べているアルミニウムの基板の間に防水のガスケットが設置してある。
当実用的な新型の１種のハイ・パワーＬＥＤ街灯は、１種の集積ハイ・パワーＬＥＤ（発光ダイオード）をポイント光源として、超強力の省エネルギーの環境保護の優位を持っている新型の街灯であり、伝統的な高圧のナトリウムランプと比べると、その電気消費量は前者の５分の１だけに相当する。ＬＥＤ照明は超強力の省エネルギーの環境保護の優位を持って、“２１世紀の照明の新しい光源”と称されている。それと同時に、この種類の新型の光源は水銀、鉛などの有害物質を含まないため、しかもたとえば紫外線などの有害な輻射がないため、環境に対する２次汚染を防いだ。六面ＬＥＤランプ・ソケットの周りの１周のＬＥＤ電球は３６０度の分布を呈する。
そして以下の特徴を持つ。つまり：
１、消耗エネルギーは同じ光度の白熱灯と比べると８０％減らす。
２、動作温度が−２０℃〜＋６５℃低温に達すると正常的にスタートすることができて、応答スピードは速い。
３、ランプ・ソケットはアルミニウムの製品を採用して、衝撃性を抵抗する性能が良くて、表面が酸化処理にされて、光線が平均して、やさしくて、丈夫で長持ちする。
４、ランプ・ソケットの設計は斬新で、優雅で美しくて、近代的な照明器具の特徴を持っている。
【図面の簡単な説明】
【０００４】
次には挿絵と実施の例を結び付けて当実用的な新型に対してさらに説明する。
【図１】図１は１種のハイ・パワーＬＥＤ街灯の構造の正面図である；
【図２】図２は図１のＡ−Ａ方向の構造の断面図である；
【図３】図３は１種のハイ・パワーＬＥＤ街灯の構造の爆発図である。
【考案を実施するための形態】
【０００５】
次には挿絵と具体的な実施の例を結び付けて当実用的な新型に対してさらに説明を行って、しかし当実用的な新型に対する限定としない。
次には１種の最優秀実施の例を提供する：
１種のハイ・パワーのＬＥＤ街灯であり、ランプ・キャップ１を含んで、述べているランプ・キャップ１はコネクティングピース２を通して大きい座台３に接続して、述べている大きい座台３はラジエーチング・リング４を通じて六面ＬＥＤランプ・ソケットに接続して、述べている大きい座台３内に電気回路基板５が設置してあって、述べている電気回路基板５は述べている六面ＬＥＤランプ・ソケットの上のＬＥＤ電球６に接続する。
六面ＬＥＤランプ・ソケットは六面体７を含んで、述べている六面体７の一面ごとの上にアルミニウムの基板８が設置してあって、述べているアルミニウムの基板８の上に述べているＬＥＤ電球６が設置してあって、述べているアルミニウムの基板８とＬＥＤ電球６の外側にレンズ９が設置してある。
六面体７と述べているアルミニウムの基板８の間に防水のガスケット１０が設置してある。
以上の述べている実施の例は、ただ当実用的な新型の比較的に最適化する具体的な実施方式の１種であり、当領域の技術者が当実用的で新型の技術の方案の範囲の内で行っている通常変化と交替はすべて当実用的な新型の保護する範囲の内に含まれるべきである。
【図１】
0003163243.tif 000003
【図２】
0003163243.tif 000004
【図３】
0003163243.tif 000005
(57)【要約】【課題】周囲の人間や器物に損害や損傷を与えることのなく、火災を発生させるおそれもない猫侵入防止具を提供すること。簡単な構造で、製造コストが低く、設置が極めて容易な猫侵入防止具を提供すること。【解決手段】所定領域の周囲に延在する剛性の側と、前記側を、所定領域の基準高さ位置よりも高い位置に固定するために、前記側に取り付けられた、同一直線上にない少なくとも３本の脚と、猫の足が容易に入りかつ猫の通常の歩行の妨げになる大きさの網目を持つ網であって、前記側によって支持されて所定領域の基準高さよりも高い位置に固定される網とを有する猫侵入防止具。【選択図】図１
0003163245.tif 000002
【実用新案登録請求の範囲】
【請求項１】
所定領域の周囲に延在する剛性の側と、
前記側を、所定領域の基準高さ位置よりも高い位置に固定するために、前記側に取り付けられた、同一直線上にない少なくとも３本の脚と、
猫の足が容易に入りかつ猫の通常の歩行の妨げになる大きさの網目を持つ網であって、前記側によって支持されて所定領域の基準高さよりも高い位置に固定される網と
を有することを特徴とする猫侵入防止具。
【考案の詳細な説明】
【技術分野】
【０００１】
本考案は、猫侵入防止具、すなわち猫に入られたくない場所に配置してその場所に猫が侵入することを防ぐ器具に関する。
【背景技術】
【０００２】
従来、所定区域への猫の侵入を防ぐために、猫の嫌いな臭いや音波を発生するもの、上向きのトゲ状のものを有するもの、猫検出用のセンサーの猫検出信号によって水を噴射する水掛器等が提案されあるいは実施されている。
また、水入りペットボトルを配置し、太陽光等の集光や屈折によって光の異常状態を形成することが行われている。
【考案の概要】
【考案が解決しようとする課題】
【０００３】
しかし、従来の猫の嫌いな臭いを発生するものでは、人間にも不快ないわゆる悪臭であったり、人間や草木にとって有害である場合が多いという問題がある。音波を発生するものは、人間に該音波による聴覚障害をもたらすおそれがある。
【０００４】
上向きのトゲ状のものを有するものは、人間や猫が怪我をするおそれが高いという問題がある。水を噴射する水掛器は、高価で複雑の装置であり、故障のおそれがあり、また作動に電力を必要とし、特に長期間使用するためには、不適である。水を噴射する水掛器はさらに、接地工事は煩雑な上、接地周囲の猫以外のものや人間にも水を掛けてしまうという問題もある。
【０００５】
水入りペットボトルは、そのレンズ作用すなわち集光作用により火災を発生させるおそれがある。
【０００６】
本考案は、これらの従来の猫侵入防止具の上述した問題点、さらに猫が身の危険を感じた時に身の安全を最優先に行動するという猫の本能を鑑みてなされたものであって、周囲の人間や器物に損害や損傷を与えることのない、火災を発生させるおそれもない猫侵入防止具を提供することを目的とする。
【０００７】
本考案はまた、簡単な構造で、製造コストが低く、設置が極めて容易な猫侵入防止具を提供することを目的とする。
【課題を解決するための手段】
【０００８】
本考案は、
所定領域の周囲に延在する剛性の側と、
前記側を、所定領域の基準高さ位置よりも高い位置に固定するために、前記側に取り付けられた、同一直線上にない少なくとも３本の脚と、
猫の足が容易に入りかつ猫の通常の歩行の妨げになる大きさの網目を持つ網であって、前記側によって支持されて所定領域の基準高さよりも高い位置に固定される網と
を有することを特徴とする猫侵入防止具
である。
【考案の効果】
【０００９】
本考案の猫侵入防止具によれば、周囲の人間や器物に損害や損傷を与えることのなく、火災を発生させるおそれもない猫侵入防止具を構成することができる。
【００１０】
本考案の猫侵入防止具を花壇に配置した場合、前記利点を有するにもかかわらず、植栽作業や植物の成長の妨げが少ないことは、トゲ状のものを地面に設置することに比較すれは明らかである。
【００１１】
本考案の猫侵入防止具によればまた、簡単な構造で、製造コストが低く、設置が極めて容易な猫侵入防止具を提供することを目的とする。
【図面の簡単な説明】
【００１２】
【図１】本考案の第１実施形態の猫侵入防止具の斜視図である。
【図２】本考案の第２実施形態の猫侵入防止具も部分斜視図である。
【考案を実施するための形態】
【００１３】
以下に、本考案の実施形態の猫侵入防止具について説明する。
（１）第１実施形態の猫侵入防止具
第１実施形態の猫侵入防止具は、図１に示すように、所定領域の周囲に延在する剛性の側２を有する。側２は、剛性部材を矩形を形成するように剛性部材を溶接したり成型によって作ることができる。側２は、一定の大きさのものを複数個連結して所定領域にわたるようにしてもよいし、一個の側２を所定領域にわたるように形成してもよい。
【００１４】
側２を、例えば地面値である所定領域の基準高さ位置よりも高い位置に固定するために、側の下面に、同一直線上にない少なくとも３本の脚１が取り付けられている。基準高さ位置は、塀の上面であっても、ベランダであってもよい。
【００１５】
側２の上に配置され、側２によって所定高さに保持される網３は、猫の足が容易に入りかつ猫の通常の歩行の妨げになる大きさの網目を持つ網である。
（２）第２実施形態の猫侵入防止具
第２実施形態の猫侵入防止具は、図２に示すように、所定領域の周囲に延在する円形の剛性の側２を有する。側２は、４本の脚１を有する。脚１の数は、転倒防止のため少なくとも３本であり、網３の重さやたるみを考慮して４本以上になることもある。
【００１６】
（変形例）
網は、柔軟性をもった繊維紐や針金を編むことによって形成される。本考案で使用する網は、ステンレス棒等の剛性棒部材を格子状に並べて相互に結合して格子構造とすることによっても、本考案と同様な作用・効果を得ることができる。前記格子構造を合成樹脂の成型によっても形成できる。
【産業上の利用可能性】
【００１７】
本考案は、網目寸法を変えることによって、犬や野生動物についてもある程度の効果は期待できる。
【符号の説明】
【００１８】
１          脚
２          側
３          網
【図１】
0003163245.tif 000003
【図２】
0003163245.tif 000004
(57)【要約】      （修正有）【課題】人目を引くような斬新なデザインを有する廉価な応援用ベストを提供する。【解決手段】本応援用ベスト１０は、長方形の布地１２を長辺方向に沿って二つ折りして二枚重ねとし、長辺方向の両端部付近において、二枚重ねとした布地同士を連結手段１４で連結することによって形成されることを特徴とするものである。好ましくは、連結手段は、縫着、ボタン留め、又はファスナ留めのいずれかである。ボタン留め又はファスナ留めの場合には、ボタン又はファスナを外せば、タオルとして使用することもできる。【選択図】図１
0003163249.tif 000002
【実用新案登録請求の範囲】
【請求項１】
長方形の布地を長辺方向に沿って二つ折りして二枚重ねとし、長辺方向の両端部付近において、二枚重ねとした布地同士を連結手段で連結することによって形成される応援用ベスト。
【請求項２】
前記連結手段が、縫着、ボタン留め、又はファスナ留めのいずれかであることを特徴とする請求項１に記載された応援用ベスト。
【考案の詳細な説明】
【技術分野】
【０００１】
本考案は、スポーツ観戦などの際に着用する応援用ベストに関する。
【背景技術】
【０００２】
野球やサッカーなどの観戦に際して、応援しようとするチームのユニホームを着用して応援したり、種々の応援グッズを使用して応援したりする光景は、通常見られるものである。また、各種の展示会やイベントにおいて、開催者がハッピなどを着用して来場者に接することも、よく見られる光景である。
【考案の開示】
【考案が解決しようとする課題】
【０００３】
上述のようなスポーツ観戦やイベントなどにおいて着用する“応援着”は、その性質上、低コストであるとともに、人目を引くようなものであることが望ましい。
【０００４】
本考案は、このような現状に鑑みて案出されたものであって、人目を引くような斬新なデザインを有する廉価な応援用ベストを提供することを目的としている。
【課題を解決するための手段】
【０００５】
本願請求項１に記載された応援用ベストは、長方形の布地を長辺方向に沿って二つ折りして二枚重ねとし、長辺方向の両端部付近において、二枚重ねとした布地同士を連結手段で連結することによって形成されることを特徴とするものである。
【０００６】
本願請求項２に記載された応援用ベストは、前記請求項１の応援用ベストにおいて、前記連結手段が、縫着、ボタン留め、又はファスナ留めのいずれかであることを特徴とするものである。
【考案の効果】
【０００７】
本考案の応援用ベストは、既成のタオル等を利用して製作することができるため製作コストを低廉にすることができるとともに、従来見受けられないデザインのものであり人目を引きつけることができるため、斬新な応援グッズ（“応援着”）を提供することができる。また、連結手段をボタン留め又はファスナ留めとした場合には、タオルに簡単に転用することもできる。
【０００８】
本考案の応援用ベストは、応援グッズとしての利用以外にも、各種の展示会、イベント、キャンペーンなどにおいても利用することができる。
【考案を実施するための最良の形態】
【０００９】
次に図面を参照して、本考案の好ましい実施の形態に係る応援用ベストについて詳細に説明する。図１は、本考案の好ましい実施の形態に係る応援用ベストを概略的に示した斜視図である。図１において全体として参照符号１０で示される本考案の好ましい実施の形態に係る応援用ベストは、長方形の布地１２を長辺方向に沿って二つ折りして二枚重ねとし、長辺方向の両端部付近において、二枚重ねとした布地１２同士を適当な連結手段１４で連結することによって形成される。このようにすることによって、応援用ベスト１０には、長辺方向開口部１２ａ及び２つの短辺方向開口部１２ｂが設けられる。
【００１０】
応援用ベスト１０を形成する布地は、タオル地や木綿地などの任意の材料を使用してよい。なお、普通のタオルなどを利用して、製作コストを廉価に抑えるように工夫することが好ましい。
【００１１】
布地１２の連結手段１４は、縫着（図２（ａ）参照）、ボタン留め（図２（ｂ）参照）、線ファスナや面ファスナ等のファスナ留め（図２（ｃ）参照）などの任意の方法を用いてよい。なお、ボタン留めやファスナ留めによって連結する方法を採用すると、ボタンやファスナを外せば、タオルとして利用することができる。
【００１２】
また、応援用ベストの意匠性を向上させるため、布地１２の長辺方向の両端部に（すなわち、短辺方向開口部１２ｂに隣接して）、リブ編み、ゴム編み等の伸縮部１６を設けてもよい（図３（ａ）参照）。
【００１３】
また、短辺方向開口部１２ｂに種々の意匠を施したり（図３（ｂ）参照）、例えば斜めにカットしたり（図３（ｃ）参照）してもよい。
【００１４】
さらに、長辺方向開口部１２ａをＶカット状にしたり丸首状にしたりしてもよく、長辺方向開口部１２ａに襟１８を付けたり（図３（ｄ）参照）してもよい。或いは、更なる意匠性の向上を図るため、フード２０を付けてもよい（図３（ｅ）参照）。
【００１５】
以上のように構成された応援用ベスト１０の使用に際して、一方の腕を長辺方向開口部１２ａから一方の短辺方向開口部１２ｂに通し、他方の腕を長辺方向開口部１２ａから他方の短辺方向開口部１２ｂに通し、応援用ベスト１０自体を背中側に配することによって、着用することができる（図４（ａ）、（ｂ）参照）。また、ボタン留めやファスナ留めによって連結している場合には、上述のように、ボタンやファスナを外してタオルとして用いてもよい。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
たとえば、前記実施の形態では、長方形の布地を長辺方向に沿って二つ折りして連結することによって応援用ベストを形成しているが、例えば、正方形の布地を準備し、この布地を対角線に沿って二つ折りして連結することによって応援用ベストを形成してもよい。
【００１８】
また、応援用ベスト１０の所望の個所に、各種の文字や図形、色彩などを施してもよい。
【図面の簡単な説明】
【００１９】
【図１】本考案の好ましい実施の形態に係る応援用ベストを概略的に示した斜視図である。
【図２】布地の連結手段の種々の形態を示した図である。
【図３】図１の応援用ベストの種々の形態を示した図である。
【図４】図１の応援用ベストを着用している状態を示した図である。
【符号の説明】
【００２０】
１０  応援用ベスト
１２  布地
１２ａ  長辺方向開口部
１２ｂ  短辺方向開口部
１４  連結手段
１６  伸縮部
１８  襟
２０  フード
【図１】
0003163249.tif 000003
【図２】
0003163249.tif 000004
【図３】
0003163249.tif 000005
【図４】
0003163249.tif 000006
(57)【要約】      （修正有）【課題】軽くて運びやすく、撒く作業を楽に行うことができ、圧雪路面と一体化して強い横滑り防止効果を発揮するスベリ止めチップを提供する。【解決手段】丸いコイン型のチップの中央部の両面に、円形の凹部を設ける。【選択図】図４
0003163242.tif 000002
【実用新案登録請求の範囲】
【請求項１】
形状が丸く、コイン型にしたチップの中央部の両面に、円形の凹部（２）を設けたスベリ止チップ（１）
【考案の詳細な説明】
【技術分野】
【０００１】  寒さの厳しい北国で圧雪による凍結路面で歩行者の転倒事故が多発します、本考案は、転倒事故を未然に防ぐためのスベリ止チップである、チップを凍結路面に貼り付けて固定することにより歩きやすい歩道を創出するものです、円形のチップの両面に凹部を設けた事によりチップをより強固に凍結路面に貼り付ける事が出来ます、
【背景技術】
【０００２】  冬期間、歩行者が踏み固める圧雪で路面がつる〜になり滑り易い状態となります、そのために、圧雪による凍結歩道にナトリュウムやマグネシュウムを撒いて融雪を促したり、歩道にスベリ止の砂を撒いたりしています、しかし砂は重量があり取り扱いが大変ですし融雪剤は塩害がひどく環境を損ねています。
【先行技術文献】
【特許文献】
【０００３】
【特許文献１】
【非特許文献１】
【考案の概要】
【考案が解決しようとする課題】
【０００４】  チップには、圧雪路面との摩擦によるスパイク効果はありません、ですからチップを圧雪路面に強く貼り付けて固定させ、横滑りを完全に防がなければならない。
【課題を解決するための手段】
【０００５】  上記の目的を達成するためにスベリ止チツプの素材は軽量で、強度があり吸水姓に優れたトウモロコシの芯の部分を使用します、素材となるトウモロコシの芯の部分を輪切りにして乾燥させ、小さなチツプを大量に生産します、形状は円形のコイン型です、
チツプの使用方法は砂を撒くのと同様に圧雪氷で、つる〜に滑る路面に撤き散らしますが、撒いただけではスベリ止効果を得ることは出来ません、そこで氷点下の寒さを利用してバケツに入れた少量の水を圧雪路面上にブチ撤きます、水を撒いた直後にチップを撒き散らすのです、やがて水は凍結して強い接着効果を発揮しチップは路面に貼り付けられます、チツプをより強く固定するためには、図２に示すようにスベリ止チツプ（１）の中心となる両面に円形の凹部（２）を設けました、チツプは水を吸収しますので凹部（２）は、水を引き込みながら圧雪路面に凍り付き、図３に示すように凍結によって出来る圧雪路面（４）の凸部（３）と噛み合い一体となって強力なスベリ止効果を発揮します。
【考案の効果】
【０００６】  トウモロコシの芯を素材とするスベリ止チツプ（１）は重量がとても軽いので運びやすく、撤く作業も楽に出来ます、又、チツプは氷点下で水の凍結による接着効果で，圧雪路面（４）の表面に貼り付き、更に、圧雪路面と一体化して強い横滑り防止効果を発揮しますので、歩行者が安心して歩く事の出来る路面を創出します。
【図面の簡単な説明】
【０００７】
【図１】本考案のスベリ止チツプの正面図である
【図２】本考案のスベリ止チツプの平面図である
【図３】本考案のスベリ止チツプの実施例を示す一部切欠断面図である
【図４】本考案のスベリ止チツプの斜視図である
【考案を実施するための形態】
【０００８】
【実施例】
【０００９】  本考案のスベリ止チップ（１）は、現在行っております砂を撒くのと同じ方法で使用します、しかし、凍結した路面に撒いただけでは効果を得ることは出来ません、そのために水を利用します、バケツに入れた少量の水を圧雪路面にブチ撒くのです、撒いた直後の水の上に、当、物品のスベリ止チップを撒き散らします、やがて水は凍結して強い接着効果を発揮しチップを固定します、ですからこの作業の時間帯は人通りの途絶えた夕方から深夜にかけて、外気温が氷点下の時に行なわれなければなりません、気温が氷点下でも散布した水が瞬時に凍る事はなく、数分〜数十分かかります、スベリ止めチップは、この間に水を吸収しながらやがて固く凍り付きます、この時にチップの中央部に設けられた円形の凹部（２）と、圧雪路面（４）に出来る凸部（３）は一体化して強固に凍り付くのです、やがて、路面はチップを敷き詰めたジュタン状になり、歩行者は安心して歩く事が出来るのです、
【産業上の利用可能性】
【０００１０】  歩行者の転倒事故を未然に防ぐために現在行っている、砂を撒く方法は取りあつかいが大変な事と、砂自身の重みで圧雪氷の中に砂が沈み込むためにスベリ止の効果が短期間になりました、一方、圧雪路面にナトリュウムやマグネシュウムを撤いて融雪を促す方法では、冬期間に大量に使用される融雪剤による塩害が環境問題化しています、本考案のスベリ止チップは、この様な問題のない、転倒事故防止用品を提供することができます、
【符号の説明】    １  スベリ止チップ
２  円形の凹部
３  凸部
４  圧雪路面
【図１】
0003163242.tif 000003
【図２】
0003163242.tif 000004
【図３】
0003163242.tif 000005
【図４】
0003163242.tif 000006
(57)【要約】【課題】簡単かつ便利に生産できるとともに、着用時にフィット性、快適性が良く、人体の曲線美観性が表現できるインナー製品を提供すること。【解決手段】小寸丸編ニット生地を用いて作成されるベスト、半袖シャツ及び長袖シャツを含むインナー製品において、小寸丸編ニット生地を熱セット処理することにより形成される細狭いウエスト部位、及び、突出状の前胸両乳部を備えていることを特徴とするインナー製品。【選択図】  図２
0003163293.tif 000002
【実用新案登録請求の範囲】
【請求項１】
小寸丸編ニット生地を用いて作成される、ベスト、半袖シャツ及び長袖シャツを含むインナー衣料において、
前記インナー衣料が、熱セット処理により形成される細狭いウエスト部位、及び、突出状の前胸両乳部を備えていることを特徴とするインナー衣料。
【請求項２】
前記小寸丸編ニット生地の目付が、１２０〜２５０ｇ／ｍ２であることを特徴とする請求項１記載のインナー衣料。
【考案の詳細な説明】
【技術分野】
【０００１】
本考案は、紡績工業における小寸丸編生地を用いて作成するインナー製品、特に、インナーベスト、半袖シャツ、長袖シャツである。
【背景技術】
【０００２】
現在、売場に良く見かけるインナーベスト、インナーシャツなど、ニットインナー製品は、人体の躯体部位に直線型を採用したものが多く、人体の細狭い腰部位、突出する胸部位に合わず、フィット性、快適性が悪く、人体の曲線美観性が表せないという問題があった。
【考案の概要】
【考案が解決しようとする課題】
【０００３】
上記の直線型を改良するために、現在の技術では、下記の2種類の方法が採用されている。
一つは、丸編の生地を裁断して、縫製の方法で、腰部、胸部の幅を変更する方法である。これは、縫製工程の増加、並びに、縫い合わせた部分の破裂を生じやすい。
もう一つ方法は、丸編加工中に、編組織の変更など、部分的に、幅を狭くしたり、広くしたりする方法である。これは、加工が複雑で、組織構造の変更により、外観上の同一性も変わってしまう。
【課題を解決するための手段】
【０００４】
本考案に係るインナー製品は、人体に合わせられて、着用時のフィット性、快適性が良く、曲線的な人体の美観性が表現できる小寸丸編ニット生地を用いて作成されるものである。
請求項１に係る本考案は、小寸丸編ニット生地を用いて作成されるベスト、半袖シャツ及び長袖シャツを含むインナー製品において、このインナー製品が、小寸丸編ニット生地を熱セット処理により形成される細狭いウエスト部位、及び、突出状の前胸両乳部を備えていることにより、上記課題を解決するものである。
請求項２に係る本考案は、請求項１に記載の構成に加えて、小寸丸編ニット生地の目付が、１２０〜２５０ｇ／ｍ２であることにより、上記課題を解決するものである。
【考案の効果】
【０００５】
本考案に係るインナー製品は、簡単かつ便利に生産できるとともに、着用時にフィット性、快適性が良く、人体の曲線美観性が表現できる。
【図面の簡単な説明】
【０００６】
【図１】従来の小寸丸編生地で製作された直線型半袖Tシャツの正面図。
【図２】本考案の１実施例である半袖Tシャツの正面図。
【図３】従来の小寸丸編生地、固定幅の枠を用いた熱セット過程の概念図。
【図４】熱セット過程に用いる立体金具を装着した本考案で用いる小寸丸編ニット生地の正面図。
【考案を実施するための形態】
【０００７】
本考案で用いる小寸丸編ニット生地の具体的材料としては、コットン、ウール、シルク、麻、モダール、テンセル、アクリルなどスパン糸を使う生地、特に、熱塑性の良い化学繊維材料、例えば、ポリエステル、ナイロン、ポリウレタンを使う生地、又は、生地中にポリウレタン、若しくは、ＦＴＹ（Ｆｉｌａｍｅｎｔ  Ｔｗｉｓｔｅｄ  Ｙａｒｍ）を含有する生地が好ましい。
【実施例】
【０００８】
小寸丸編ニット生地は、衣料の身幅により、編機の口径及び針数を選択したうえで、通常の小寸丸編機を用いて作成される。作成された小寸丸編ニット生地の目付け範囲は、１２０〜２５０ｇ／ｍ２である。
【０００９】
小寸丸編ニット生地は、通常の染色方法により染色される。
【００１０】
熱セットの設備は、通常の熱セット機に立体金具３を装着して、立体金具３を固定用穴４で熱セット機の搬送レールに固定する。
熱セット機は、通常の蒸気又はヒートセット設備である。立体金具の材質は、アルミである。
【００１１】
熱セットの工程は、衣料の身丈に基づいて小寸丸編ニット生地を分断して、インナー製品の半製品として、立体金具３にセットする。セットした小寸丸編ニット生地が立体金具３と一緒に熱セット機の高温区域に搬入されて、熱セットを行う。
形状、大きさの異なる立体セット金具３を選択して用いることにより、様々な形状、大きさの細狭いウエスト１、突出された両乳部位２を備えたインナー製品が製作される。
熱セットの温度範囲は、１０３度〜１８０度で、セット時間は、生地の素材、薄さにより、決定する。
【符号の説明】
【００１２】
１    ・・・ 細狭いウエスト部位
２    ・・・ 突出された両乳部位
３    ・・・ 熱セットの立体金具
４    ・・・ 立体金具の固定用穴
５    ・・・ 加工中、固定の枠
【図１】
0003163293.tif 000003
【図２】
0003163293.tif 000004
【図３】
0003163293.tif 000005
【図４】
0003163293.tif 000006
(57)【要約】【課題】従来通りの茶室として用いることができる茶室でありながら、椅子に腰掛けて、茶の湯を楽しむことが可能な椅子を備え付けた次世代茶室を提供する【解決手段】椅子付き茶室は、複数枚の畳が敷かれた畳座敷と、該畳座敷の１つの辺に面した少なくとも１つの椅子席とを備え、該椅子席の長さは、面した辺の長さと同じであり、該椅子席の高さは畳座敷の高さと同じである。【選択図】図２
0003163299.tif 000002
【実用新案登録請求の範囲】
【請求項１】
複数枚の畳が敷かれた畳座敷と、該畳座敷の１つの辺に面した少なくとも１つの椅子席とを備え、該椅子席の長さは、面した辺の長さと同じであり、該椅子席の高さは畳座敷の高さと同じであることを特徴とする椅子付き茶室。
【請求項２】
前記椅子席は、前記畳座敷と一体化することができることを特徴とする請求項１に記載の椅子付き茶室。
【請求項３】
前記畳座敷と前記椅子席との間を仕切るふすまをさらに備えることを特徴とする請求項１または２に記載の椅子付き茶室。
【考案の詳細な説明】
【技術分野】
【０００１】
本考案は、椅子付き茶室に関する。より詳細には、茶道を誰にでも楽しめるように椅子を備え付けた次世代茶室に関する。
【背景技術】
【０００２】
茶道は、長い期間を継承して、伝統的な日本文化として広く親しみ続けられている。現在は、日本のみならず世界中で愛好されている。茶道は、略式な形式でも楽しむことができるが、正式には、畳敷きの茶室によって行われる。
【０００３】
しかしながら、畳の上で正座を行う習慣のない外国人、または洋室での生活に慣れた現代の日本人の若者にとって、畳の上で正座を行うことは、かなり苦痛を伴うものであり、正式な茶道を楽しむことは難しかった。
【０００４】
そのため、従来は、畳敷きの茶室の廻りに椅子を並べ、そこに腰掛け、茶道を行うことが行われていた。図１は従来の形式の椅子を備えた茶室の一例を示す。そこでは、台の上に畳を敷き、廻りに椅子を並べ茶室としていた。畳の上に茶道に必要な炉、茶釜、茶碗、茶せん、茶さじ等の道具をおき、そこで、主人が茶を点て、椅子の上に座ったお客に茶を提供していた。
【考案の概要】
【考案が解決しようとする課題】
【０００５】
しかしながら、従来に簡易的な椅子付きの茶室は、単に畳の廻りに椅子を並べただけのものであり、正式な茶室と呼ぶにはほど遠いものであった。また、廻りの椅子を除去することによって、従来通りの茶室として用いることが可能ではあるが、必要に応じて椅子を持ってきて、かたづける必要が生じた。
【０００６】
したがって本考案は、従来通りの茶室として用いることができる茶室でありながら、椅子に腰掛けて、茶の湯を楽しむことが可能な椅子を備え付けた次世代茶室を提供することを目的とする。
【課題を解決するための手段】
【０００７】
上記目的を実現するため本考案による椅子付き茶室は、複数枚の畳が敷かれた畳座敷と、該畳座敷の１つの辺に面した少なくとも１つの椅子席とを備え、該椅子席の長さは、面した辺の長さと同じであり、該椅子席の高さは畳座敷の高さと同じである。
【０００８】
また、前記椅子席は、前記畳座敷と一体化することができることも好ましい。
【０００９】
また、前記畳座敷と前記椅子席との間を仕切るふすまをさらに備えることも好ましい。
【考案の効果】
【００１０】
上記のような本考案によれば、椅子席は、茶室の畳座敷と同じ長さ、高さであり、存在に違和感がない。さらに、椅子席が不要であるときは、畳座敷と椅子席との間の隙間を埋めることにより、茶室を拡大することができる。または、ふすまを閉めることにより、椅子席を見えなくすることができる。
【図面の簡単な説明】
【００１１】
【図１】従来の形式の椅子を備えた茶室の一例を示す。
【図２】本考案の実施形態による椅子を備えた茶室の一例を示す。
【図３】本考案の他の実施形態による椅子を備えた茶室の一例を示す。
【考案を実施するための形態】
【００１２】
本考案を実施するための最良の実施形態について、以下では図面を用いて詳細に説明する。図２は、本考案の実施形態による椅子を備えた茶室の一例を示す。図２によれは、本考案の茶室は、畳座敷１が中心に存在し、従来通りの座礼の茶道にも用いることができる。本形態では、畳座敷１に八畳の畳が敷かれている。畳座敷１の廻りには、椅子席２が、右側、正面側、および左側に設けられている。これらの椅子席に腰掛けることによって、畳座敷１に正座することなく、茶道を楽しむことができる。本実施形態では、椅子席２は３方向に設けられているが、椅子席２は少なくとも１方向に存在すればよい。
【００１３】
これらの椅子席２の長さは、本質的に畳座敷１の対応する辺と同じ長さであり、高さは、畳座敷１の高さと同じ高さである。また、椅子席２の表面は畳座敷１と同じデザインであることが好ましい。例えば、椅子席２の表面は畳座敷１と同じ色であること、椅子席２の表面は畳と同じ材質（イグサ）で覆われていること、または椅子席２の表面にも畳が敷かれていることが好ましい。
【００１４】
これらの椅子席２は可動であることも可能である。この場合、本茶室を従来通りの座礼の茶道に使用し、椅子席として使用しないときは、椅子席２を畳座敷１にくっつけて一体化させることにより、畳座敷１を広く使用することが可能になる。この場合、椅子席２の表面は、イグサで覆われていること、または畳が敷かれていることが好ましい。
【００１５】
図３は、本考案の他の実施形態による椅子を備えた茶室の一例を示す。本実施形態ではさらにふすま３を備えている。この場合、本茶室を従来通りの座礼の茶道に使用する場合、ふすま３を閉めることにより、畳座敷１に座っている人から椅子席２を見えなくすることができるようになる。また、ふすま３を開くことにより椅子席２を用いることができるようになる。
【００１６】
以上のように、本茶室は、茶を楽しむために炉が切ってある和室の廻りに、和室と同じ高さの一体型の椅子席を設けたものである。これにより正座の習慣のない人々にも、畳の上に正座しているような感じを与えることができる。
【００１７】
また、本茶室は、椅子席２を畳座敷１にくっつけること、またはふすま３を閉じることにより、華道や謡いなどの茶道以外の用途にも使用することができる。
【００１８】
また、以上述べた実施形態は全て本考案を例示的に示すものであって限定的に示すものではなく、本考案は他の種々の変形態様および変更態様で実施することができる。従って本考案の範囲は特許請求の範囲およびその均等範囲によってのみ規定されるものである。
【符号の説明】
【００１９】
１  畳座敷
２  椅子席
３  ふすま
【図１】
0003163299.tif 000003
【図２】
0003163299.tif 000004
【図３】
0003163299.tif 000005
(57)【要約】      （修正有）【課題】洗濯終了後の衣類をたたむ、ハンガーに掛けるなどの作業をなくし、家事労働を軽減する家庭用全自動洗濯乾燥機又はキャビネットを提供する。【解決手段】全自動洗濯乾燥機又はキャビネットに、衣類を吊り下げるためのバーと、洗浄液を放射するスプリンクラーを設ける。【選択図】図３
0003163216.tif 000002
【実用新案登録請求の範囲】
【請求項１】
衣類を攪拌せずに洗濯乾燥する衣類吊り下げ式全自動洗濯乾燥機
【請求項２】
食器洗い機型全自動洗濯乾燥機
【請求項３】
全自動洗濯乾燥機能付きキャビネット
【考案の詳細な説明】
【技術分野】
【０００１】  本考案は、衣類をハンガーにかけたまま、洗濯乾燥までできる、全自動洗濯乾燥機に関するものである。
【背景技術】
【０００２】現在の全自動洗濯乾燥機は、衣類を攪拌して洗濯するものであり、乾燥まではできるが、衣類を着用するには、ハンガーに掛ける、たたむ、あるいはアイロンかけ等の作業が必要である。
【考案が解決しようとする課題】
【０００３】  洗濯後の衣類をたたむ、干すなどの作業をなくす。
【課題を解決する為の手段】
【０００４】  洗濯後の衣類着用を着用するためには、たたむ、ハンガーに掛けるなどをどの道する必要があるならば、洋服箪笥が洗濯機能を持っていたら便利だ。
【０００５】  洗濯機能付き洋服箪笥の発想から、現在一般家庭に普及している、食器洗い乾燥機を、衣類洗濯乾燥用にできればよいと考えた。
【考案の効果】
【０００６】  衣類の保管に、洋服箪笥に吊るすという作業だけで、翌朝きれいに洗濯された衣類をそのまま着ることができる。
【図面の簡単な説明】
【図１】外観  スタンダード
【図２】外観  大型キャビネット
【図３】内部イメージ  スタンダード
【図４】内部イメージ  大型キャビネット
【考案を実施するための形態】
【０００７】  外形は直方体の箱型。一般家庭の洗面所や台所における形状。パウダールームとして設置場所を確保できる場合は、大型キャビネットタイプも可能。ハンガーで洗濯物を吊るすため、内部に固定バーをつけ、扉はなるべく広く開けられるようにする。小物（靴下、ショーツ、ハンカチなど）は、専用ネットに入れる。洗浄の方法は、下部よりスプリンクラー状に洗浄液を放射。その後送風にて乾燥する。
【産業上の利用可能性】
【０００８】  現在、少人数家族、共働き、一人暮らし、洗濯する時間は夜、という世帯が増えている。また形態安定衣類、水洗い可能スーツなどの繊維の進化や洗剤の進化によって、自宅で洗濯することは、ますます便利になっている。また、大量の衣類をまとめて洗うのではなく、少量の衣類を洗う機会も増えている。そのうえ、空気の悪化や花粉アレルギーなどによる屋外物干しができない事由もあり、この「すぐ着られる全自動洗濯乾燥機」の形態は、これからの全自動洗濯乾燥機のスタンダードとなる。
また今後の発展形としては、送風による洗浄によって家庭でドライクリーニング可能。
【図１】
0003163216.tif 000003
【図２】
0003163216.tif 000004
【図３】
0003163216.tif 000005
【図４】
0003163216.tif 000006
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
衣類を吊り下げるためのバーを設けた全自動洗濯乾燥機。
【請求項２】
洗浄液を放射するスプリンクラーを設けた請求項１記載の全自動洗濯乾燥機。
【請求項３】
衣類を吊り下げるためのバーと、洗浄液を放射するスプリンクラーを設けたキャビネット。
(57)【要約】      （修正有）【課題】鎌の刃先を鋸刃にしたことで、ギザギザ部分に草の根元が適度に絡み、草の大小にかかわらず根こそぎ簡単に除去しやすくなる草刈鎌を提供する。【解決手段】鎌の刃を鋸刃にしギザギザ部分に草の根元が絡むのを利用、長柄の鎌でしゃがむことなく立ったまま引っかく作業で効率よく除草が出来るように鋸刃にする。また、鎌の右端にぎざぎざにすることにより、根深い草に突きさして取ることができる。【選択図】図２
0003163212.tif 000002
【実用新案登録請求の範囲】
【請求項１】
鎌の刃先を鋸刃にしたことで引っかく作業でギザギザ部分に草の根元が適度に絡み草の大小にかかわらず根こそぎ簡単に除去しやすくなった。
【請求項２】
鎌の刃の右端の部位をギザギザにしたことで根深い草を取るのにギザギザ部分を突きさして根こそぎ除去しやすくした。
【考案の詳細な説明】
【技術分野】
【０００１】鎌の刃先を鋸刃にしたことで草の根まで引っかく作業で簡単に取ることができる
【背景技術】
【０００２】従来の鎌の刃先はナイフ状になっているので引っかく作業で草の根元から切れて根が残ってしまう問題点がある。
【考案の概要】
【考案か解決しようとする課題】
【０００３】草取りは一般的にしゃがんで手で１本１本抜き取るか、小道具を使って取るか、また鎌等を使って取るかの方法であるがしゃがんで手で取る方法だと手もよごれ、足腰にも非常に負担がかかる。また鎌等使っての方法だと草の根元で切れやすく根こそぎ取るには堀り取らなくてはならない問題点があった。
【課題を解決するための手段】
【０００４】鎌の刃を鋸刃にしギザギザ部分に草の根元が絡むのを利用、長柄の鎌でしゃがむことなく立ったまま引っかく作業で効率よく除草が出来るように鋸刃にした。
【０００５】鎌の右端にぎざぎざにすることにより根深い草に突きさして取ることができるようにした。
【図面の簡単な説明】
【０００６】
【図１】普通の鎌の平面図
【図２】図１の本体部を鋸刃にかえ右端をギザギザにした平面図
【図１】
0003163212.tif 000003
【図２】
0003163212.tif 000004
【手続補正書】
【提出日】平成22年7月16日(2010.7.16)
【手続補正１】
【補正対象書類名】実用新案登録請求の範囲
【補正対象項目名】全文
【補正方法】変更
【補正の内容】
【実用新案登録請求の範囲】
【請求項１】
鎌の刃先を鋸刃にした草刈鎌
【請求項２】
鎌の刃の右端の部位をギザギザにした草刈鎌